(57)【要約】【課題】無線リソースの浪費を防ぎつつ、適切に「ｅｎｔｅｒｉｎｇ/ｌｅａｖｉｎｇ  ｐｒｏｘｉｍｉｔｙ  ｉｎｄｉｃａｔｉｏｎ」を送信する。【解決手段】本発明に係る移動局ＵＥは、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合には、所定エリア＃１内に入ったことを検出した場合であっても、「ｅｎｔｅｒｉｎｇ  ｐｒｏｘｉｍｉｔｙ  ｉｎｄｉｃａｔｉｏｎ」を送信せず、所定エリア＃１から外に出たことを検出した場合であっても、「ｌｅａｖｉｎｇ  ｐｒｏｘｉｍｉｔｙ  ｉｎｄｉｃａｔｉｏｎ」を送信しないように構成されている。【選択図】図３
2011120191.tif 000002
【特許請求の範囲】
【請求項１】
第１周波数のセルで通信中の移動局が、第２周波数を用いる特定セルに対応する所定エリア内に入ったことを検出した場合に、該第１周波数のセルを管理する無線基地局に対して、第１指示情報を送信する工程Ａと、
前記無線基地局が、前記第１指示情報を受信した場合に、前記移動局に対して、前記第２周波数のセルにおける無線品質を測定するように指示する測定構成を送信する工程Ｂと、
前記移動局が、前記所定エリアから外に出たことを検出した場合に、前記無線基地局に対して、第２指示情報を送信する工程Ｃと、
前記無線基地局が、前記第２指示情報を受信した場合に、前記移動局に対して、前記第２周波数のセルにおける無線品質の測定を中止するように指示する測定構成を送信する工程Ｄとを具備し、
前記工程Ａにおいて、前記移動局は、前記第１指示情報或いは前記第２指示情報を送信してから所定期間が経過していない場合には、前記所定エリア内に入ったことを検出した場合であっても、前記第１指示情報を送信せず、
前記工程Ｃにおいて、前記移動局は、前記第１指示情報或いは前記第２指示情報を送信してから前記所定期間が経過していない場合には、前記所定エリアから外に出たことを検出した場合であっても、前記第２指示情報を送信しないことを特徴とする移動通信方法。
【請求項２】
前記所定期間は、固定値であることを特徴とする請求項１に記載の移動通信方法。
【請求項３】
前記所定期間は、前記無線基地局によって通知された値であることを特徴とする請求項１に記載の移動通信方法。
【請求項４】
前記工程Ａにおいて、前記移動局は、更に、前記第２周波数に関する測定構成を所持していない場合に、前記無線基地局に対して、前記第１指示情報を送信することを特徴とする請求項１に記載の移動通信方法。
【請求項５】
前記工程Ｃにおいて、前記移動局は、更に、前記第２周波数に関する測定構成を所持している場合に、前記無線基地局に対して、前記第２指示情報を送信することを特徴とする請求項１に記載の移動通信方法。
【請求項６】
第１周波数のセルで通信中に、第２周波数を用いる特定セルに対応する所定エリア内に入ったことを検出した場合に、該第１周波数のセルを管理する無線基地局に対して、第１指示情報を送信し、該所定エリアから外に出たことを検出した場合に、該無線基地局に対して、第２指示情報を送信するように構成されている送信部を具備し、
前記送信部は、前記第１指示情報或いは前記第２指示情報を送信してから所定期間が経過していない場合には、前記所定エリア内に入ったことを検出した場合であっても、前記第１指示情報を送信しないように構成されており、
前記送信部は、前記第１指示情報或いは前記第２指示情報を送信してから前記所定期間が経過していない場合には、前記所定エリアから外に出たことを検出した場合であっても、前記第２指示情報を送信しないように構成されていることを特徴とする移動局。
【請求項７】
前記所定期間は、固定値であることを特徴とする請求項６に記載の移動局。
【請求項８】
前記所定期間は、前記無線基地局によって通知された値であることを特徴とする請求項６に記載の移動局。
【請求項９】
前記送信部は、更に、前記第２周波数に関する測定構成を所持していない場合に、前記無線基地局に対して、前記第１指示情報を送信するように構成されていることを特徴とする請求項６に記載の移動局。
【請求項１０】
前記送信部は、更に、前記第２周波数に関する測定構成を所持している場合に、前記無線基地局に対して、前記第２指示情報を送信するように構成されていることを特徴とする請求項６に記載の移動局。
【請求項１１】
前記工程Ａにおいて、前記移動局は、前記所定エリア内に入ったことを検出した場合に、前記無線基地局に対して、前記特定セルにおいて報知される同期信号に対するスクランブル処理に用いられるセル識別情報を含む前記第１指示情報を送信することを特徴とする請求項１に記載の移動通信方法。
【請求項１２】
前記工程Ｃにおいて、前記移動局は、前記所定エリアから外に出たことを検出した場合に、前記無線基地局に対して、前記特定セルにおいて報知される同期信号に対するスクランブル処理に用いられるセル識別情報を含む前記第２指示情報を送信することを特徴とする請求項１又は１１に記載の移動通信方法。
【請求項１３】
前記送信部は、前記第１周波数のセルで通信中に、前記所定エリア内に入ったことを検出した場合に、前記無線基地局に対して、前記特定セルにおいて報知される同期信号に対するスクランブル処理に用いられるセル識別情報を含む前記第１指示情報を送信するように構成されていることを特徴とする請求項６に記載の移動局。
【請求項１４】
前記送信部は、前記第１周波数のセルで通信中に、前記所定エリアから外に出たことを検出した場合に、前記無線基地局に対して、前記特定セルにおいて報知される同期信号に対するスクランブル処理に用いられるセル識別情報を含む前記第２指示情報を送信するように構成されていることを特徴とする請求項６又は１３に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、マクロセルにおいて通信中の移動局ＵＥは、ｆｉｎｇｅｒｐｒｉｎｔとして管理されているＣＳＧ（Ｃｌｏｓｅｄ  Ｓｕｂｓｃｒｉｂｅｒ  Ｇｒｏｕｐ）セルに対応する所定エリアに入ったことを検出した場合に、かかるマクロセルを管理する無線基地局ｅＮＢに対して、「ｅｎｔｅｒｉｎｇ  ｐｒｏｘｉｍｉｔｙ  ｉｎｄｉｃａｔｉｏｎ」を送信し、かかる「ｅｎｔｅｒｉｎｇ  ｐｒｏｘｉｍｉｔｙ  ｉｎｄｉｃａｔｉｏｎ」を受信した無線基地局ｅＮＢは、移動局ＵＥに対して、所定「ｍｅａｓｕｒｅｍｅｎｔ  ｇａｐ」で周波数Ｆ２のＣＳＧセル＃１における無線品質を測定するように指示する「ＭｅａｓＣｏｎｆｉｇ」を送信するように構成されている。
【０００３】
また、マクロセルにおいて通信中の移動局ＵＥは、ｆｉｎｇｅｒｐｒｉｎｔとして管理されている所定エリアから外に出たことを検出した場合に、かかるマクロセルを管理する無線基地局ｅＮＢに対して、「ｌｅａｖｉｎｇ  ｐｒｏｘｉｍｉｔｙ  ｉｎｄｉｃａｔｉｏｎ」を送信し、かかる「ｌｅａｖｉｎｇ  ｐｒｏｘｉｍｉｔｙ  ｉｎｄｉｃａｔｉｏｎ」を受信した無線基地局ｅＮＢは、移動局ＵＥに対して、所定「ｍｅａｓｕｒｅｍｅｎｔ  ｇａｐ」における周波数Ｆ２のＣＳＧセル＃１における無線品質の測定を中止するように指示する「ＭｅａｓＣｏｎｆｉｇ」を送信するように構成されている。
【０００４】
ここで、ＣＳＧセルとは、特定の移動局ＵＥのみがアクセス可能なセルを指し、移動局ＵＥは、各セルの報知情報を確認し、報知情報に含まれるＣＳＧ  ＩＤが、移動局ＵＥが記憶している「ａｌｌｏｗｅｄ  ＣＳＧ  ｌｉｓｔ」に含まれる場合に当該ＣＳＧに属すると判定し、含まれない場合に当該ＣＳＧに属さないと判定する。
【０００５】
そして、報知情報に含まれる「ＣＳＧ  ｉｎｄｉｃａｔｉｏｎ」が「ＴＲＵＥ」の場合は、ＣＳＧに属する移動局ＵＥのみがアクセス可能となり、報知情報に含まれる「ＣＳＧ  ｉｎｄｉｃａｔｉｏｎ」が「ＦＡＬＳＥ」の場合は、ＣＳＧに属する移動局ＵＥが優先的にアクセス可能となる。
【先行技術文献】
【特許文献】
【０００６】
【特許文献１】特願２００８-０７６９００
【発明の概要】
【発明が解決しようとする課題】
【０００７】
しかしながら、上述の移動通信システムでは、移動局ＵＥによる「ｅｎｔｅｒｉｎｇ  ｐｒｏｘｉｍｉｔｙ  ｉｎｄｉｃａｔｉｏｎ」や「ｌｅａｖｉｎｇ  ｐｒｏｘｉｍｉｔｙ  ｉｎｄｉｃａｔｉｏｎ」の送信条件について明確に規定されていないため、移動局ＵＥによって「ｅｎｔｅｒｉｎｇ  ｐｒｏｘｉｍｉｔｙ  ｉｎｄｉｃａｔｉｏｎ」や「ｌｅａｖｉｎｇ  ｐｒｏｘｉｍｉｔｙ  ｉｎｄｉｃａｔｉｏｎ」が頻繁に送信され、無線リソースが浪費されてしまう可能性があった。
【０００８】
そこで、本発明は、上述の課題に鑑みてなされたものであり、無線リソースの浪費を防ぎつつ、適切に「ｅｎｔｅｒｉｎｇ  ｐｒｏｘｉｍｉｔｙ  ｉｎｄｉｃａｔｉｏｎ」や「ｌｅａｖｉｎｇ  ｐｒｏｘｉｍｉｔｙ  ｉｎｄｉｃａｔｉｏｎ」を送信することができる移動通信方法及び移動局を提供することを目的とする。
【課題を解決するための手段】
【０００９】
本発明の第１の特徴は、第１周波数のセルで通信中の移動局が、第２周波数に対応する所定エリア内に入ったことを検出した場合に、該第１周波数のセルを管理する無線基地局に対して、第１指示情報を送信する工程Ａと、前記無線基地局が、前記第１指示情報を受信した場合に、前記移動局に対して、所定測定間隔で前記第２周波数のセルにおける無線品質を測定するように指示する測定構成を送信する工程Ｂと、前記移動局が、前記所定エリアから外に出たことを検出した場合に、前記無線基地局に対して、第２指示情報を送信する工程Ｃと、前記無線基地局が、前記第２指示情報を受信した場合に、前記移動局に対して、前記測定間隔における前記第２周波数のセルにおける無線品質の測定を中止するように指示する測定構成を送信する工程Ｄとを具備し、前記工程Ａにおいて、前記移動局は、前記第１指示情報或いは前記第２指示情報を送信してから所定期間が経過していない場合には、前記第２周波数に対応する所定エリア内に入ったことを検出した場合であっても、前記第１指示情報を送信せず、前記工程Ｃにおいて、前記移動局は、前記第１指示情報或いは前記第２指示情報を送信してから前記所定期間が経過していない場合には、前記第２周波数に対応する所定エリアから外に出たことを検出した場合であっても、前記第２指示情報を送信しないことを要旨とする。
【００１０】
本発明の第２の特徴は、第１周波数のセルで通信中に、第２周波数に対応する所定エリア内に入ったことを検出した場合に、該第１周波数のセルを管理する無線基地局に対して、第１指示情報を送信し、該所定エリアから外に出たことを検出した場合に、該無線基地局に対して、第２指示情報を送信するように構成されている送信部を具備し、前記送信部は、前記第１指示情報或いは前記第２指示情報を送信してから所定期間が経過していない場合には、前記第２周波数に対応する所定エリア内に入ったことを検出した場合であっても、前記第１指示情報を送信しないように構成されており、前記送信部は、前記第１指示情報或いは前記第２指示情報を送信してから前記所定期間が経過していない場合には、前記第２周波数に対応する所定エリアから外に出たことを検出した場合であっても、前記第２指示情報を送信しないように構成されていることを要旨とする。
【発明の効果】
【００１１】
以上説明したように、本発明によれば、無線リソースの浪費を防ぎつつ、適切に「ｅｎｔｅｒｉｎｇ  ｐｒｏｘｉｍｉｔｙ  ｉｎｄｉｃａｔｉｏｎ」や「ｌｅａｖｉｎｇ  ｐｒｏｘｉｍｉｔｙ  ｉｎｄｉｃａｔｉｏｎ」を送信することができる移動通信方法及び移動局を提供することができる。
【図面の簡単な説明】
【００１２】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動通信システムの動作を示すフローチャートである。
【発明を実施するための形態】
【００１３】
（本発明の第１の実施形態に係る移動通信システムの構成）
図１及び図２を参照して、本発明の第１の実施形態に係る移動通信システムの構成について説明する。
【００１４】
本実施形態に係る移動通信システムは、ＬＴＥ方式の移動通信システムであって、かかる移動通信システムには、図１に示すように、無線基地局ｅＮＢ＃Ａによって管理されている周波数Ｆ１のセル＃Ａ、及び、無線基地局ＨｅＮＢ＃１によって管理されている周波数Ｆ２のＣＳＧセル＃１が配置されている。ここで、ＣＳＧセル＃１は、セル＃Ａのエリア内に配置されている。
【００１５】
図２に示すように、移動局ＵＥは、管理部１１と、受信部１２と、送信部１３と、処理部１４とを具備している。
【００１６】
管理部１１は、移動局ＵＥがアクセス権を有するＣＳＧセルの周波数に対応する所定エリアを管理するように構成されている。例えば、本実施形態では、管理部１１は、移動局ＵＥがアクセス権を有するＣＳＧセル＃１の周波数Ｆ２に対応する所定エリア＃１を管理するように構成されている。
【００１７】
受信部１２は、無線基地局ｅＮＢによって送信された信号、例えば、「ＭｅａｓＣｏｎｆｉｇ（測定構成）」を受信するように構成されている。
【００１８】
送信部１３は、無線基地局ｅＮＢに対して信号を送信するように構成されている。
【００１９】
例えば、送信部１３は、周波数Ｆ１のセル＃Ａで通信中に、所定エリア＃１内に入ったことを検出した場合に、無線基地局ｅＮＢ＃Ａに対して、「ｅｎｔｅｒｉｎｇ  ｐｒｏｘｉｍｉｔｙ  ｉｎｄｉｃａｔｉｏｎ（第１指示情報）」を送信するように構成されている。
【００２０】
ただし、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合、すなわち、「Ｐｒｏｈｉｂｉｔｅｄ  Ｔｉｍｅｒ（所定タイマ）」が満了していない場合には、所定エリア＃１内に入ったことを検出した場合であっても、「ｅｎｔｅｒｉｎｇ  ｐｒｏｘｉｍｉｔｙ  ｉｎｄｉｃａｔｉｏｎ」を送信しないように構成されている。
【００２１】
ここで、「Ｐｒｏｈｉｂｉｔｅｄ  Ｔｉｍｅｒ」は、送信部１３によって「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」が送信された場合に起動されるタイマである。
【００２２】
また、送信部１３は、周波数Ｆ１のセル＃Ａで通信中に、所定エリア＃１から外に出たことを検出した場合に、無線基地局ｅＮＢ＃Ａに対して、「ｌｅａｖｉｎｇ  ｐｒｏｘｉｍｉｔｙ  ｉｎｄｉｃａｔｉｏｎ（第２指示情報）」を送信するように構成されている。
【００２３】
ただし、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合、すなわち、「Ｐｒｏｈｉｂｉｔｅｄ  Ｔｉｍｅｒ」が満了していない場合には、所定エリア＃１から外に出たことを検出した場合であっても、「ｌｅａｖｉｎｇ  ｐｒｏｘｉｍｉｔｙ  ｉｎｄｉｃａｔｉｏｎ」を送信しないように構成されている。
【００２４】
ここで、所定エリア＃１は、上述のＣＳＧセル＃１よりも大きいエリアであってもよいし、上述のＣＳＧセル＃１と一致していてもよい。
【００２５】
所定エリア＃１（ｆｉｎｇｅｒｐｒｉｎｔ）は、移動局ＵＥが上述のＣＳＧセル＃１が存在する「周辺環境」に関して記憶している情報であって、例えば、周辺に存在するマクロセルのＩＤやマクロセルからの信号受信レベルやＧＰＳ情報等に基づく情報であってよいし、或いは、位置登録エリアＩＤやＰＬＭＮ  ＩＤ等であってもよく、どのような情報を使うかは、実装依存であってよい。
【００２６】
処理部１４は、無線基地局ｅＮＢ＃Ａから、所定「Ｍｅａｓｕｒｅｍｅｎｔ  ｇａｐ（測定間隔）」を含む「ＭｅａｓＣｏｎｆｉｇ（測定構成）」を受信した場合、かかる所定「Ｍｅａｓｕｒｅｍｅｎｔ  ｇａｐ」において、周波数Ｆ２においてセルサーチし、ＣＳＧセル＃１を検出した場合、その無線品質を測定するように構成されている。
【００２７】
なお、処理部１４は、無線基地局ｅＮＢ＃Ａから、所定「ｍｅａｓｕｒｅｍｅｎｔ  ｇａｐ」における周波数Ｆ２のＣＳＧセル＃１における無線品質の測定を中止するように指示する「ＭｅａｓＣｏｎｆｉｇ」を受信した場合には、かかるセルサーチ及び無線品質の測定を中止するように構成されている。
【００２８】
（本発明の第１の実施形態に係る移動通信システムの動作）
図３を参照して、本発明の第１の実施形態に係る移動通信システムの動作について説明する。
【００２９】
図３に示すように、ステップＳ１０１において、無線アクセスネットワークＥ-ＵＴＲＡＮ、すなわち、無線基地局ｅＮＢ＃Ａは、個別シグナリングによって、「ｅｎｔｅｒｉｎｇ/ｌｅａｖｉｎｇ  ｐｒｏｘｉｍｉｔｙ  ｉｎｄｉｃａｔｉｏｎ」の送信を許可する。
【００３０】
また、ステップＳ１０１において、無線基地局ｅＮＢ＃Ａは、ＳＩ（Ｓｙｓｔｅｍ  Ｉｎｆｏｒｍａｔｉｏｎ）を受信すべきＰＣＩ（Ｐｈｙｓｉｃａｌ  Ｃｅｌｌ  Ｉｄｅｎｔｉｔｙ）の範囲を通知する。
【００３１】
ステップＳ１０２において、移動局ＵＥは、ｆｉｎｇｅｒｐｒｉｎｔとして管理されているＣＳＧセルに対応する所定エリア（ＣＳＧセル）に入ったこと、或いは、かかる所定エリアから外に出たことを検出する。ここで、かかるＣＳＧセルの周波数Ｆ２は、非サービング周波数であることとする。
【００３２】
ステップＳ１０３において、移動局ＵＥは、かかる周波数Ｆ２についての「ＭｅａｓＣｏｎｆｉｇ」を管理しているか否かについて判定する。
【００３３】
「ＹＥＳ」の場合、本動作は、ステップＳ１０７に進み、「ＮＯ」の場合、本動作は、ステップＳ１０４に進む。
【００３４】
ステップＳ１０４において、移動局ＵＥは、「Ｐｒｏｈｉｂｉｔｅｄ  Ｔｉｍｅｒ」が起動中であるか否かについて判定する。
【００３５】
「ＹＥＳ」の場合、本動作は、ステップＳ１０２の戻り、「ＮＯ」の場合、本動作は、ステップＳ１０５に進む。
【００３６】
ステップＳ１０５において、移動局ＵＥは、無線基地局ｅＮＢ＃Ａに対して、「ｅｎｔｅｒｉｎｇ/ｌｅａｖｉｎｇ  ｐｒｏｘｉｍｉｔｙ  ｉｎｄｉｃａｔｉｏｎ」を送信する。
【００３７】
このとき、移動局ＵＥは、「ｅｎｔｅｒｉｎｇ/ｌｅａｖｉｎｇ  ｐｒｏｘｉｍｉｔｙ  ｉｎｄｉｃａｔｉｏｎ」に、かかるＣＳＧセル＃１の周波数Ｆ２を含めて送信する。また、移動局ＵＥは、かかるＣＳＧセル＃１の無線アクセス方式（ＲＡＴ）を含めて送信してもよい。
【００３８】
ステップＳ１０６において、無線基地局ｅＮＢ＃Ａは、移動局ＵＥに対して、かかる周波数Ｆ２についての「ＭｅａｓＣｏｎｆｉｇ」を送信する。
【００３９】
ステップＳ１０７において、移動局ＵＥは、受信した周波数Ｆ２についての「ＭｅａｓＣｏｎｆｉｇ」に含まれている「Ｍｅａｓｕｒｅｍｅｎｔ  ｇａｐ」において、周波数Ｆ２のＣＳＧセル＃１における無線品質を測定し、ＣＳＧセル＃１についてのセルサーチ（ｃｅｌｌ  ｓｅａｒｃｈ）処理や測定（ｍｅａｓｕｒｅｍｅｎｔ）処理やＳＩ受信（ＳＩ  ｒｅａｄｉｎｇ）処理等を行う。
【００４０】
ステップＳ１０８において、移動局ＵＥは、「Ｍｅａｓｕｒｅｍｅｎｔ  Ｒｅｐｏｒｔ（測定報告）」の送信条件（例えば、Ｅｖｅｎｔ  Ａ３）が満たされた際に、ＳＩの受信に成功しているか否かについて判定する。
【００４１】
「ＹＥＳ」の場合、本動作は、ステップＳ１１２に進み、「ＮＯ」の場合、本動作は、ステップＳ１０９に進む。
【００４２】
ステップＳ１０９において、移動局ＵＥは、無線基地局ｅＮＢ＃Ａに対して、移動局ＵＥがＣＳＧセル＃１に対するアクセス権を有しているか否かについて示す「ｌｉｋｅｌｙ/ｕｎｌｉｋｅｌｙ  ｉｎｄｉｃａｔｉｏｎ」を含む「Ｍｅａｓｕｒｅｍｅｎｔ  Ｒｅｐｏｒｔ」を送信する。
【００４３】
移動局ＵＥは、「Ｍｅａｓｕｒｅｍｅｎｔ  Ｒｅｐｏｒｔ」にて報告されるＰＣＩに対応するセルが、当該移動局ＵＥが属するＣＳＧのセルであると推測される場合は「ｌｉｋｅｌｙ」と報告し、当該移動局ＵＥが属さないＣＳＧのセルであると推測される場合は「ｕｎｌｉｋｅｌｙ」と報告する。
【００４４】
移動局ＵＥは、「ｆｉｎｇｅｒｐｒｉｎｔ」情報として、ＣＳＧセルのＰＣＩ情報も併せて記憶し、これに基づき「ｌｉｋｅｌｙ/ｕｎｌｉｋｅｌｙ」の推測を行ってよい。
【００４５】
ステップＳ１１０において、無線基地局ｅＮＢ＃Ａは、移動局ＵＥに対して、ＳＩの受信処理を行うための構成を通知する。
【００４６】
ステップＳ１１１において、移動局ＵＥは、無線基地局ｅＮＢ＃Ａから通知された「ｇａｐ」に基づいて、ＳＩの受信処理を行う。
【００４７】
ステップＳ１１２において、移動局ＵＥは、無線基地局ｅＮＢ＃Ａに対して、ＣＳＧセル＃１についてのＣＧＩ（Ｃｅｌｌ  Ｇｌｏｂａｌ  Ｉｄｅｎｔｉｔｙ）やＴＡＩ（Ｔｒａｃｋｉｎｇ  Ａｒｅａ  Ｉｄｅｎｔｉｔｙ）や「Ｐｒｅｌｉｍｉｎａｒｙ  ａｃｃｅｓｓ  ｃｈｅｃｋ」の結果を示す「ｍｅｍｂｅｒ/ｎｏｎ-ｍｅｍｂｅｒ  ｉｎｄｉｃａｔｉｏｎ」を含む「Ｍｅａｓｕｒｅｍｅｎｔ  Ｒｅｐｏｒｔ」を送信する。
【００４８】
移動局ＵＥは、受信した報知情報ＳＩに含まれるＣＳＧ  ＩＤから、当該セルのＣＳＧに属するか否かを判定し、当該セルのＣＳＧに属する場合は「ｍｅｍｂｅｒ」と報告し、当該セルのＣＳＧに属さない場合は「ｎｏｎ-ｍｅｍｂｅｒ」と報告する。
【００４９】
ステップＳ１１３において、無線アクセスネットワークＥ-ＵＴＲＡＮは、かかる「Ｍｅａｓｕｒｅｍｅｎｔ  Ｒｅｐｏｒｔ」に基づいて、移動局ＵＥのハンドオーバ処理を行うべきか否かについて判定する。
【００５０】
（本発明の第１の実施形態に係る移動通信システムの作用・効果）
本発明の第１の実施形態に係る移動通信システムによれば、移動局ＵＥは、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合、すなわち、「Ｐｒｏｈｉｂｉｔｅｄ  Ｔｉｍｅｒ」が満了していない場合には、所定エリア＃１内に入ったことを検出した場合であっても、「ｅｎｔｅｒｉｎｇ  ｐｒｏｘｉｍｉｔｙ  ｉｎｄｉｃａｔｉｏｎ」を送信せず、所定エリア＃１から外に出たことを検出した場合であっても、「ｌｅａｖｉｎｇ  ｐｒｏｘｉｍｉｔｙ  ｉｎｄｉｃａｔｉｏｎ」を送信しないように構成されているため、移動局ＵＥによって「ｅｎｔｅｒｉｎｇ/ｌｅａｖｉｎｇ  ｐｒｏｘｉｍｉｔｙ  ｉｎｄｉｃａｔｉｏｎ」が頻繁に送信され、無線リソースが浪費されてしまうという問題点を解決することができる。
【００５１】
また、無線基地局ｅＮＢは、受信した「ｅｎｔｅｒｉｎｇ/ｌｅａｖｉｎｇ  ｐｒｏｘｉｍｉｔｙ  ｉｎｄｉｃａｔｉｏｎ」に応じて測定制御「ＭｅａｓＣｏｎｆｉｇ」を行うため、頻繁な測定制御を避けることができる。
【００５２】
（変更例１）
以下、本変更例１に係る移動通信システムについて、上述の第１の実施形態に係る移動通信システムとの相違点に着目して説明する。
【００５３】
本変更例１に係る移動通信システムでは、移動局ＵＥの送信部１３は、第１周波数Ｆ１のセル＃Ａで通信中に、所定エリア＃１内に入ったことを検出した場合に、無線基地局ｅＮＢ＃Ａに対して、ＣＳＧセル＃１のＰＣＩを含む「ｅｎｔｅｒｉｎｇ  ｐｒｏｘｉｍｉｔｙ  ｉｎｄｉｃａｔｉｏｎ」を送信するように構成されていてもよい。
【００５４】
ただし、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合、すなわち、「Ｐｒｏｈｉｂｉｔｅｄ  Ｔｉｍｅｒ（所定タイマ）」が満了していない場合には、同一ＲＡＴ及び周波数に係る「ｅｎｔｅｒｉｎｇ  ｐｒｏｘｉｍｉｔｙ  ｉｎｄｉｃａｔｉｏｎ」を送信しないように構成されていてもよい。
【００５５】
また、移動局ＵＥの送信部１３は、第１周波数Ｆ１のセル＃Ａで通信中に、所定エリア＃１から外に出たことを検出した場合に、無線基地局ｅＮＢ＃Ａに対して、ＣＳＧセル＃１のＰＣＩを含む「ｌｅａｖｉｎｇ  ｐｒｏｘｉｍｉｔｙ  ｉｎｄｉｃａｔｉｏｎ」を送信するように構成されていてもよい。
【００５６】
ただし、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合、すなわち、「Ｐｒｏｈｉｂｉｔｅｄ  Ｔｉｍｅｒ（所定タイマ）」が満了していない場合には、同一ＲＡＴ及び周波数に係る「ｌｅａｖｉｎｇ  ｐｒｏｘｉｍｉｔｙ  ｉｎｄｉｃａｔｉｏｎ」を送信しないように構成されていてもよい。  本変更例１に係る移動通信システムによれば、移動局ＵＥが、無線基地局ｅＮＢ＃１に対して、アクセス権を有するＣＳＧセル＃１のＰＣＩを含む「ｅｎｔｅｒｉｎｇ  ｐｒｏｘｉｍｉｔｙ  ｉｎｄｉｃａｔｉｏｎ」及び「ｌｅａｖｉｎｇ  ｐｒｏｘｉｍｉｔｙ  ｉｎｄｉｃａｔｉｏｎ」を送信するように構成されているため、無線基地局ｅＮＢ＃Ａが、移動局ＵＥがアクセス権を有していないＣＳＧセルについての「ＳＩ  ｒｅｐｏｒｔｉｎｇ」の送信を要求する「ＳＩ  ｒｅｐｏｒｔｉｎｇ要求」を送信することを回避することができる。
【００５７】
ＬＴＥ方式の移動通信システムにおいて、ＣＳＧセルへのＩｎｂｏｕｎｄハンドオーバ手順では、移動局ＵＥが、ハンドオーバ先セル（Ｔａｒｇｅｔ  Ｃｅｌｌ）において送信されている報知情報を受信し、通信中の無線基地局Ｓ-ｅＮＢに対して、ハンドオーバ先セルの「ＣＧＩ」や、ハンドオーバ先セルの「ＴＡＩ」や、ハンドオーバ先セルによって報知されている「ＣＳＧ  ＩＤ」に属するか否かについて示す「ｍｅｍｂｅｒ/ｎｏｎ-ｍｅｍｂｅｒ  ｉｎｄｉｃａｔｉｏｎ」を送信するように構成されている。
【００５８】
かかる動作を、「ＳＩ（Ｓｙｓｔｅｍ  Ｉｎｆｏｒｍａｔｉｏｎ）  ｒｅｐｏｒｔｉｎｇ」と呼び、無線基地局ｅＮＢ＃Ａが移動局ＵＥに対して「ＳＩ  ｒｅｐｏｒｔｉｎｇ」を行うことを要求する信号を「ＳＩ  ｒｅｐｏｒｔｉｎｇ要求」と呼ぶ。
【００５９】
以上に述べた本実施形態の特徴は、以下のように表現されていてもよい。
【００６０】
本実施形態の第１の特徴は、移動通信方法であって、周波数Ｆ１（第１周波数）のセル＃Ａで通信中の移動局ＵＥが、周波数Ｆ２（第２周波数）を用いるＣＳＧセル＃１（特定セル）に対応する所定エリア＃１内に入ったことを検出した場合に、周波数Ｆ１のセル＃Ａを管理する無線基地局ｅＮＢ＃Ａに対して、「ｅｎｔｅｒｉｎｇ  ｐｒｏｘｉｍｉｔｙ  ｉｎｄｉｃａｔｉｏｎ（第１指示情報）」を送信する工程Ａと、無線基地局ｅＮＢ＃Ａが、「ｅｎｔｅｒｉｎｇ  ｐｒｏｘｉｍｉｔｙ  ｉｎｄｉｃａｔｉｏｎ」を受信した場合に、移動局ＵＥに対して、所定「ｍｅａｓｕｒｅｍｅｎｔ  ｇａｐ（所定測定間隔）」で周波数Ｆ２のＣＳＧセル＃１における無線品質を測定するように指示する「ＭｅａｓＣｏｎｆｉｇ（測定構成）」を送信する工程Ｂと、移動局ＵＥが、所定エリア＃１から外に出たことを検出した場合に、無線基地局ｅＮＢ＃Ａに対して、「ｌｅａｖｉｎｇ  ｐｒｏｘｉｍｉｔｙ  ｉｎｄｉｃａｔｉｏｎ（第２指示情報）」を送信する工程Ｃと、無線基地局ｅＮＢ＃Ａが、「ｌｅａｖｉｎｇ  ｐｒｏｘｉｍｉｔｙ  ｉｎｄｉｃａｔｉｏｎ」を受信した場合に、移動局ＵＥに対して、所定「ｍｅａｓｕｒｅｍｅｎｔ  ｇａｐ」における周波数Ｆ２のＣＳＧセル＃１における無線品質の測定を中止するように指示する「ＭｅａｓＣｏｎｆｉｇ」を送信する工程Ｄとを具備し、工程Ａにおいて、移動局ＵＥは、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合（すなわち、「Ｐｒｏｈｉｂｉｔｅｄ  Ｔｉｍｅｒ」が満了していない場合）には、所定エリア＃１内に入ったことを検出した場合であっても、「ｅｎｔｅｒｉｎｇ  ｐｒｏｘｉｍｉｔｙ  ｉｎｄｉｃａｔｉｏｎ」を送信せず、工程Ｃにおいて、移動局ＵＥは、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合（すなわち、「Ｐｒｏｈｉｂｉｔｅｄ  Ｔｉｍｅｒ」が満了していない場合）には、所定エリア＃１から外に出たことを検出した場合であっても、「ｌｅａｖｉｎｇ  ｐｒｏｘｉｍｉｔｙ  ｉｎｄｉｃａｔｉｏｎ」を送信しないことを要旨とする。
【００６１】
本実施形態の第１の特徴において、上述の所定期間は、固定値であってもよいし、無線基地局ｅＮＢ＃Ａによって報知情報又は個別シグナリングを介して通知された値であってもよい。
【００６２】
本実施形態の第１の特徴において、工程Ａにおいて、移動局ＵＥは、更に、周波数Ｆ２に関する「ＭｅａｓＣｏｎｆｉｇ」を所持していない場合に、無線基地局ｅＮＢ＃Ａに対して、「ｅｎｔｅｒｉｎｇ  ｐｒｏｘｉｍｉｔｙ  ｉｎｄｉｃａｔｉｏｎ」を送信してもよい。
【００６３】
本実施形態の第１の特徴において、工程Ｃにおいて、移動局ＵＥは、更に、周波数Ｆ２に関する「ＭｅａｓＣｏｎｆｉｇ」を所持している場合に、無線基地局ｅＮＢ＃Ａに対して、「ｌｅａｖｉｎｇ  ｐｒｏｘｉｍｉｔｙ  ｉｎｄｉｃａｔｉｏｎ」を送信してもよい。
【００６４】
本実施形態の第１の特徴において、工程Ａにおいて、移動局ＵＥは、所定エリア＃１内に入ったことを検出した場合に、無線基地局ｅＮＢ＃Ａに対して、ＣＳＧセル＃１において報知されるＰｒｉｍａｒｙ-ＳＣＨ信号及びＳｅｃｏｎｄａｒｙ-ＳＣＨ信号（同期信号）に対するスクランブル処理に用いられるＰＣＩ（セル識別情報）を含む「ｅｎｔｅｒｉｎｇ  ｐｒｏｘｉｍｉｔｙ  ｉｎｄｉｃａｔｉｏｎ」を送信してもよい。
【００６５】
本実施形態の第１の特徴において、工程Ｃにおいて、移動局ＵＥは、所定エリア＃１から外に出たことを検出した場合に、無線基地局ｅＮＢ＃Ａに対して、ＣＳＧセル＃１のＰＣＩを含む「ｌｅａｖｉｎｇ  ｐｒｏｘｉｍｉｔｙ  ｉｎｄｉｃａｔｉｏｎ」を送信してもよい。
【００６６】
本実施形態の第２の特徴は、移動局ＵＥであって、周波数Ｆ１のセル＃Ａで通信中に、所定エリア＃１内に入ったことを検出した場合に、周波数Ｆ１のセル＃Ａを管理する無線基地局ｅＮＢ＃Ａに対して、「ｅｎｔｅｒｉｎｇ  ｐｒｏｘｉｍｉｔｙ  ｉｎｄｉｃａｔｉｏｎ」を送信し、所定エリア＃１から外に出たことを検出した場合に、無線基地局ｅＮＢ＃Ａに対して、「ｌｅａｖｉｎｇ  ｐｒｏｘｉｍｉｔｙ  ｉｎｄｉｃａｔｉｏｎ」を送信するように構成されている送信部１３を具備し、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合（すなわち、「Ｐｒｏｈｉｂｉｔｅｄ  Ｔｉｍｅｒ」が満了していない場合）には、所定エリア＃１内に入ったことを検出した場合であっても、「ｅｎｔｅｒｉｎｇ  ｐｒｏｘｉｍｉｔｙ  ｉｎｄｉｃａｔｉｏｎ」を送信しないように構成されており、送信部１３は、「ｅｎｔｅｒｉｎｇ  ｐｒｏｘｉｍｉｔｙ  ｉｎｄｉｃａｔｉｏｎ」或いは「ｌｅａｖｉｎｇ  ｐｒｏｘｉｍｉｔｙ  ｉｎｄｉｃａｔｉｏｎ」を送信してから所定期間が経過していない場合（すなわち、「Ｐｒｏｈｉｂｉｔｅｄ  Ｔｉｍｅｒ」が満了していない場合）には、所定エリア＃１から外に出たことを検出した場合であっても、「ｌｅａｖｉｎｇ  ｐｒｏｘｉｍｉｔｙ  ｉｎｄｉｃａｔｉｏｎ」を送信しないように構成されていることを要旨とする。
【００６７】
本実施形態の第２の特徴において、上述の所定期間は、固定値であってもよいし、無線基地局ｅＮＢ＃Ａによって報知情報又は個別シグナリングを介して通知された値であってもよい。
【００６８】
本実施形態の第２の特徴において、送信部１３は、更に、周波数Ｆ２に関する「ＭｅａｓＣｏｎｆｉｇ」を所持していない場合に、無線基地局ｅＮＢ＃Ａに対して、「ｅｎｔｅｒｉｎｇ  ｐｒｏｘｉｍｉｔｙ  ｉｎｄｉｃａｔｉｏｎ」を送信するように構成されていてもよい。
【００６９】
本実施形態の第２の特徴において、送信部１３は、更に、周波数Ｆ２に関する「ＭｅａｓＣｏｎｆｉｇ」を所持している場合に、無線基地局ｅＮＢ＃Ａに対して、「ｌｅａｖｉｎｇ  ｐｒｏｘｉｍｉｔｙ  ｉｎｄｉｃａｔｉｏｎ」を送信するように構成されていてもよい。
【００７０】
本実施形態の第２の特徴において、送信部１３は、第１周波数Ｆ１のセル＃Ａで通信中に、所定エリア＃１内に入ったことを検出した場合に、無線基地局ｅＮＢ＃Ａに対して、ＣＳＧセル＃１のＰＣＩを含む「ｅｎｔｅｒｉｎｇ  ｐｒｏｘｉｍｉｔｙ  ｉｎｄｉｃａｔｉｏｎ」を送信するように構成されていてもよい。
【００７１】
本実施形態の第２の特徴において、送信部１３は、第１周波数Ｆ１のセル＃Ａで通信中に、所定エリア＃１から外に出たことを検出した場合に、無線基地局ｅＮＢ＃Ａに対して、ＣＳＧセル＃１のＰＣＩを含む「ｌｅａｖｉｎｇ  ｐｒｏｘｉｍｉｔｙ  ｉｎｄｉｃａｔｉｏｎ」を送信するように構成されていてもよい。
【００７２】
なお、上述の無線基地局ｅＮＢ/ＨｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ/ＨｅＮＢや移動局ＵＥ内に設けられていてもよい。また、かかる記憶媒体及びプロセッサは、ディスクリートコンポーネントとして無線基地局ｅＮＢ/ＨｅＮＢや移動局ＵＥ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７６】
ｅＮＢ、ＨｅＮＢ…無線基地局
ＵＥ…移動局
１１…管理部
１２…受信部
１３…送信部
１４…処理部
【図１】
2011120191.tif 000003
【図２】
2011120191.tif 000004
【図３】
2011120191.tif 000005
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
第１周波数のセルで通信中の移動局が、第２周波数を用いる特定セルに対応する所定エリア内に入ったことを検出した場合に、該第１周波数のセルを管理する無線基地局に対して、第１指示情報を送信する工程Ａと、
前記移動局が、前記所定エリアから外に出たことを検出した場合に、前記無線基地局に対して、第２指示情報を送信する工程Ｂとを具備し、
前記工程Ａにおいて、前記移動局は、前記第１指示情報或いは前記第２指示情報を送信してから所定期間が経過していない場合には、前記所定エリア内に入ったことを検出した場合であっても、前記第１指示情報を送信せず、
前記工程Ｂにおいて、前記移動局は、前記第１指示情報或いは前記第２指示情報を送信してから前記所定期間が経過していない場合には、前記所定エリアから外に出たことを検出した場合であっても、前記第２指示情報を送信しないことを特徴とする移動通信方法。
【請求項２】
前記所定期間は、固定値であることを特徴とする請求項１に記載の移動通信方法。
【請求項３】
前記所定期間は、前記無線基地局によって通知された値であることを特徴とする請求項１に記載の移動通信方法。
【請求項４】
前記工程Ａにおいて、前記移動局は、更に、前記第２周波数に関する測定構成を所持していない場合に、前記無線基地局に対して、前記第１指示情報を送信することを特徴とする請求項１に記載の移動通信方法。
【請求項５】
前記工程Ｂにおいて、前記移動局は、更に、前記第２周波数に関する測定構成を所持している場合に、前記無線基地局に対して、前記第２指示情報を送信することを特徴とする請求項１に記載の移動通信方法。
【請求項６】
前記無線基地局が、前記第１指示情報を受信した場合に、前記移動局に対して、前記第２周波数のセルにおける無線品質を測定するように指示する測定構成を送信する工程と、
前記無線基地局が、前記第２指示情報を受信した場合に、前記移動局に対して、前記第２周波数のセルにおける無線品質の測定を中止するように指示する測定構成を送信する工程とを具備することを特徴とする請求項１に記載の移動通信方法。
【請求項７】
第１周波数のセルで通信中に、第２周波数を用いる特定セルに対応する所定エリア内に入ったことを検出した場合に、該第１周波数のセルを管理する無線基地局に対して、第１指示情報を送信し、該所定エリアから外に出たことを検出した場合に、該無線基地局に対して、第２指示情報を送信するように構成されている送信部を具備し、
前記送信部は、前記第１指示情報或いは前記第２指示情報を送信してから所定期間が経過していない場合には、前記所定エリア内に入ったことを検出した場合であっても、前記第１指示情報を送信しないように構成されており、
前記送信部は、前記第１指示情報或いは前記第２指示情報を送信してから前記所定期間が経過していない場合には、前記所定エリアから外に出たことを検出した場合であっても、前記第２指示情報を送信しないように構成されていることを特徴とする移動局。
【請求項８】
前記所定期間は、固定値であることを特徴とする請求項７に記載の移動局。
【請求項９】
前記所定期間は、前記無線基地局によって通知された値であることを特徴とする請求項７に記載の移動局。
【請求項１０】
前記送信部は、更に、前記第２周波数に関する測定構成を所持していない場合に、前記無線基地局に対して、前記第１指示情報を送信するように構成されていることを特徴とする請求項７に記載の移動局。
【請求項１１】
前記送信部は、更に、前記第２周波数に関する測定構成を所持している場合に、前記無線基地局に対して、前記第２指示情報を送信するように構成されていることを特徴とする請求項７に記載の移動局。
【請求項１２】
前記工程Ａにおいて、前記移動局は、前記所定エリア内に入ったことを検出した場合に、前記無線基地局に対して、前記特定セルにおいて報知される同期信号に対するスクランブル処理に用いられるセル識別情報を含む前記第１指示情報を送信することを特徴とする請求項１に記載の移動通信方法。
【請求項１３】
前記工程Ｂにおいて、前記移動局は、前記所定エリアから外に出たことを検出した場合に、前記無線基地局に対して、前記特定セルにおいて報知される同期信号に対するスクランブル処理に用いられるセル識別情報を含む前記第２指示情報を送信することを特徴とする請求項１又は１２に記載の移動通信方法。
【請求項１４】
前記送信部は、前記第１周波数のセルで通信中に、前記所定エリア内に入ったことを検出した場合に、前記無線基地局に対して、前記特定セルにおいて報知される同期信号に対するスクランブル処理に用いられるセル識別情報を含む前記第１指示情報を送信するように構成されていることを特徴とする請求項７に記載の移動局。
【請求項１５】
前記送信部は、前記第１周波数のセルで通信中に、前記所定エリアから外に出たことを検出した場合に、前記無線基地局に対して、前記特定セルにおいて報知される同期信号に対するスクランブル処理に用いられるセル識別情報を含む前記第２指示情報を送信するように構成されていることを特徴とする請求項７又は１４に記載の移動局。